(57)【要約】      （修正有）【課題】ロータと指針軸とを安価に組み立てることが可能な渦電流式計器を提供する。【解決手段】磁石１を装着した主軸７と、主軸７を回動可能に支持するベースプレート５と、磁石の回転により回動するロータ２と、ロータの磁石の対向面と反対の側に設けられたヨーク１４と、ロータに発生する渦電流による回転量を規制する渦巻き状バネ１５と、ロータの中央に装着される指針軸３と、指針軸に装着され計測量を指示する指針４と、指針軸の下端部を回転可能に支持する第１のケース体８と、指針軸のロータと指針との間を回転可能に支持する第２のケース体９とを備え、ベースプレートと第１のケース体とで磁石を収納し、第１、第２のケース体でロータを収納した渦電流式計器Ｆにおいて、ロータと指針軸とを樹脂からなるブッシュ３ａで結合し、渦巻き状バネの一端をブッシュに固定し他端を少なくとも第１のケース体または第２のケース体のどちらか一方に固定した。【選択図】図１
2010085161.tif 000002
【特許請求の範囲】
【請求項１】
磁石と、前記磁石を装着した主軸と、前記主軸を回動可能に支持するベースプレートと、前記磁石の回転により回動するロータと、前記ロータの前記磁石の対向面とは反対の側に設けられたヨークと、前記ロータに発生する渦電流による回転量を規制する渦巻き状のバネと、前記ロータの中央に装着される指針軸と、前記指針軸に装着され計測量を指示する指針と、前記指針軸の下端部を回転可能に支持する第１のケース体と、前記指針軸の前記ロータと前記指針との間を回転可能に支持する第２のケース体と、を備え、前記ベースプレートと前記第１のケース体とで前記磁石を収納し、前記第１のケース体と前記第２のケース体とで前記ロータを収納した渦電流式計器において、前記ロータと前記指針軸とを樹脂からなるブッシュで結合し、前記渦巻き状のバネの一端を前記ブッシュに固定するとともに前記渦巻き状のバネの他端を少なくとも前記第１のケース体、前記第２のケース体または前記ヨークのいずれかに固定したことを特徴とする渦電流式計器。
【請求項２】
前記渦巻き状のバネの一端を前記ブッシュに熱加締めで固定したことを特徴とする請求項１に記載の渦電流式計器。
【請求項３】
前記渦巻き状のバネの一端を前記ブッシュにＵＶ接着で固定したことを特徴とする請求項１に記載の渦電流式計器。
【発明の詳細な説明】
【技術分野】
【０００１】
本発明は、磁石の回転に応じてロータを回転させ、このロータの回転によって指針を駆動する渦電流式計器に関する。
【背景技術】
【０００２】
従来の渦電流式計器は、磁石と、この磁石の回転により発生する渦電流作用により回動するロータと、ロータの中央に装着される指針軸と、指針軸に装着された指針とを備え、計測量を指示するものであった（特許文献１参照）。
【特許文献１】特開昭５８−３２１６９号公報
【発明の開示】
【発明が解決しようとする課題】
【０００３】
しかしながら、従来の渦電流式計器は、前記ロータと前記指針軸とを組み立てる際に、亜鉛ダイカストによる一体形成や切削部品による固定を行っており、安価に組み立てることが難しかった。
【０００４】
そこで、本発明は前述した問題点に着目し、ロータと指針軸とを安価に組み立てることが可能な渦電流式計器を提供することを目的とする。
【課題を解決するための手段】
【０００５】
本発明は、磁石と、前記磁石を装着した主軸と、前記主軸を回動可能に支持するベースプレートと、前記磁石の回転により回動するロータと、前記ロータの前記磁石の対向面とは反対の側に設けられたヨークと、前記ロータに発生する渦電流による回転量を規制する渦巻き状のバネと、前記ロータの中央に装着される指針軸と、前記指針軸に装着され計測量を指示する指針と、前記指針軸の下端部を回転可能に支持する第１のケース体と、前記指針軸の前記ロータと前記指針との間を回転可能に支持する第２のケース体と、を備え、前記ベースプレートと前記第１のケース体とで前記磁石を収納し、前記第１のケース体と前記第２のケース体とで前記ロータを収納した渦電流式計器において、前記ロータと前記指針軸とを樹脂からなるブッシュで結合し、前記渦巻き状のバネの一端を前記ブッシュに固定するとともに前記渦巻き状のバネの他端を少なくとも前記第１のケース体、前記第２のケース体または前記ヨークのいずれかに固定したものである。
【０００６】
また、本発明は、前記渦巻き状のバネの一端を前記ブッシュに熱加締めで固定したものである。
【０００７】
また、本発明は、前記渦巻き状のバネの一端を前記ブッシュにＵＶ接着で固定したものである。
【発明の効果】
【０００８】
本発明によれば、所期の目的を達成でき、ロータと指針軸とを安価に組み立てることが可能な渦電流式計器を提供することができる。
【発明を実施するための最良の形態】
【０００９】
以下、本発明を適用した第１実施形態を添付図面に基づいて説明する。
【００１０】
渦電流式計器Ｆは、主に、磁石１、ロータ２、指針軸３、指針４、ベースプレート５、主軸７、第１のケース体８、第２のケース体９、ヨーク１４およびバネ１５で構成されている。
【００１１】
磁石１は、永久磁石であり、その材質は、例えば、鋳造Ｆｅ−Ａｌ−Ｎｉ合金などからなる。磁石１の形状は、平板状で、かつ環状であり、その中央に、ブッシュ１ａを介して主軸７の上端部に装着され、主軸７の回転に伴って回動するものである。
【００１２】
ロータ２は、磁石１の回転により発生する渦電流作用により回動するものである。ロータ２は、銅やアルミなどの金属からなり、その形状は、中央部が図１中上側に若干隆起した形状ではあるが、従来の渦電流式計器のロータのように、外周に立ち下がり壁を備えたカップ型ではなく、ほぼ平板の円盤形状である。磁石１の磁力は、磁石１の板面と対向するロータ２の円盤状の板面に作用する。
【００１３】
指針軸３は、金属からなり、合成樹脂からなるブッシュ３ａによって、結合されている。指針軸３とブッシュ３ａとは、ロータ２の中央を貫通している。指針軸３のブッシュ３ａと接触する部分には、凹凸からなる滑り止め加工が施されており、指針軸３とブッシュ３ａとで空回りを防止している。
【００１４】
ブッシュ３ａは、合成樹脂からなり、ロータ２と指針軸３と結合するように、インサート成形によって形成されている。バネ１５を保持する溝３ｂを備えており、この溝３ｂにバネ１５の一端を嵌め込んで、熱加締め、すなわち、熱を加えることによってブッシュ３ａを溶かして、バネ１５を固定してある。
【００１５】
また、ブッシュ３ａの下面（図２中の下側）に円環状の突出部３ｃを備えている。この突出部３ｃは、第１のケース体８に設けた後述する凹部に対応するものである。
【００１６】
指針４は、指針軸３の上端部に装着され計測量を指示するものである。本実施形態では、車両の速度を指示するものである。
【００１７】
ベースプレート５は、金属からなり、ボス体５ａを備えている。また、ベースプレート５は、凹部５ｂを備えている。ボス体５ａ内には、軸受け部６が固定されている。この軸受け部６に、端部に磁石１を装着した主軸７が、回動可能に軸支されている。主軸７には、車両から伸びる回転ケーブルが接続されて、前記車両からの回転を主軸７に伝達するものである。
【００１８】
第１のケース体８は、合成樹脂からなり、ロータ２の裏面側に突出した指針軸３の下端部を回転可能に支持する下軸受け部８ａを備えている。また、第１のケース体８は、下側に第１凹部８ｂを、上側に第２凹部８ｃを備えている。
【００１９】
第１のケース体８の下軸受け部８ａ内には、金属製の軸受ボール１１が設けられており、指針軸３と第１のケース体８との間に軸受ボール１１が配設されている。
【００２０】
また、下軸受け部８ａの周囲に、環状の凹部８ｄを備えている。この凹部８ｄ内には、シリコンオイルからなるダンパーオイルが入っている。そして、ダンパーオイル１０が入った凹部８ｄ内に、ブッシュ３ａに形成した突出部３ｃが入り込んでいる。
【００２１】
第２のケース体９は、合成樹脂からなり、指針軸３のロータ２と指針４との間を回転可能に支持する上軸受け部９ａを備えている。この上軸受け部９ａは、筒状であり、その内側を指針軸３が貫通する構造である。指針軸３は下軸受け部８ａと上軸受け部９ａとで回転可能に支持されている。また、第２のケース体９は、凹部９ｂを備えている。なお、９ｃは、指針４が指示する指標部を備えた文字板（図示していない）を固定するためのボスである。
【００２２】
本実施形態の渦電流式計器Ｆは、ベースプレート５の凹部５ｂと第１のケース体８の第１凹部８ｂとで構成される第１の収納部１２内に磁石１を収納する。
【００２３】
また、第１のケース体８の第２凹部８ｃと第２のケース体９の凹部９ｂとで構成される第２の収納部１３内にロータ２を収納する。
【００２４】
ヨーク１４は、鉄やパーマロイなどの軟磁性体からなり、平板形状で、かつ環状である。このヨーク１４は、第１のケース体８と第２のケース体９とで挟まれて固定される。そして、ヨーク１４は、第１のケース体８と第２のケース体９とで構成される第２の収納部１３内に収納されている。そして、ロータ２の磁石１の対向面とは反対の側に設けられている。このヨーク１４を設けたことによって、磁石１の磁界は、磁石１、ロータ２、ヨーク１４、再びロータ２、そして磁石１という閉ループを構成し、磁気効率を向上させてロータ２に発生する回転トルクを大きくすることができる。また、ヨーク１４を平板形状としたことによって、第２の収納部１３内に収納することができる。
【００２５】
バネ１５は、金属からなり、渦巻き状である。そして、指針軸３を所定の方向に回転する力を加えるものである。バネ１５は、一端がブッシュ３ａに固定され、他端が第１のケース体８に圧入または、引っ掛けて固定するフック形状に固定されている。また、バネ１５も、ヨーク１４と同様に、第２の収納部１３内に収納されている。なお、本実施形態では、バネ１５の他端は、第１のケース体８に固定していたが、本実施形態に限定されるものではなく、第２のケース体９に固定しても良い。また、第１、第２のケース体８、９の両方で固定しても良い。あるいは、図４に示すように、環状のヨーク１４の内側にＵの字形状のフック部１４ａを形成し、このフック部１４ａ内にバネ１５の他端を差し込みカシメによってフック部１４ａを変形させて固定しても良い。
【００２６】
以上の構成によって、ロータ２と指針軸３とを樹脂からなるブッシュ３ａで結合し、渦巻き状のバネ１５の一端をブッシュ３ａに固定するとともに渦巻き状のバネ１５の他端を少なくとも第２のケース体９に固定したことによって、ロータ２と指針軸３とを安価に組み立てることができる。
【００２７】
また、磁石１とロータ２とを収納したことによって、磁石１とロータ２との間に異物が侵入することを防止することができる。
【００２８】
また、ロータ２を、ほぼ平板形状としたことによって、従来のカップ型のロータのように、絞り加工の必要がなくなり、ロータ２の加工が容易になるとともに、ロータ２のアンバランス量を低減することで針振れを起こし難くすることができる。
【００２９】
また、第１のケース体８の凹部８ｄにダンパーオイル１０を配設したことによって、ロータ１と第１のケース体８との間でダンピング抵抗を得ることが可能となり、従来の渦電流式計器のように、ダンパーオイルを保持するためのオイルカップを不要とすることで、構造を簡素化することができ、安価な渦電流式計器を提供することができる。
【００３０】
なお、ブッシュ３にバネ１５を固定する手段としては、熱加締めの他に、紫外線に反応して硬化するＵＶ接着剤を用いるＵＶ接着によって固定しても良い。
【図面の簡単な説明】
【００３１】
【図１】本発明の第１実施形態の渦電流式計器の断面図。
【図２】同実施形態のロータと指針軸及びブッシュを組み付けた断面図。
【図３】同実施形態のロータと指針軸及びブッシュを組み付けた上面図。
【図４】同発明の他の実施形態のヨークの断面図。
【符号の説明】
【００３２】
Ｆ      渦電流式計器
１      磁石
２      ロータ
３      指針軸
３ａ    ブッシュ
４      指針
５      ベースプレート
５ａ    ボス体
５ｂ    凹部
６      軸受け部
７      主軸
８      第１のケース体
９      第２のケース体
１４      ヨーク
１４ａ    フック部
１５      バネ
【図１】
2010085161.tif 000003
【図２】
2010085161.tif 000004
【図３】
2010085161.tif 000005
【図４】
2010085161.tif 000006